(57)【要約】【課題】回路基板の端子パターンの長さを短く形成しても、接続ケーブルの接続端子との接続強度が確保され、回路基板の短手幅を短縮して小型化を図ったサーマルヘッドを提案する。【解決手段】絶縁基板１２上に発熱体を設け、回路基板上に絶縁基板１２と発熱体を駆動する駆動素子を搭載し、回路基板上に接続ケーブル１５を電気的に接続する。接続ケーブル１５の先端部の導体を露出させて接続端子１５ａとし、接続端子１５ａの幅を長手方向の途中から先端に向けて小さくした接続端子部分１５ｂを形成し、回路基板１２上に設けた端子パターン１２ａと接続端子部分１５ｂとをはんだ１６にて電気的に接続する。接続端子部分１５ｂの両側に溜まると共に表面張力により上面にも回り込むようにはんだ膜が形成される。【選択図】　図３
2004090225.tif 000002
【特許請求の範囲】
【請求項１】
絶縁基板上に発熱体を設け、回路基板上に前記絶縁基板と前記発熱体を駆動する駆動素子を搭載し、前記回路基板上に接続ケーブルを電気的に接続したサーマルヘッドにおいて、
前記接続ケーブルの先端部の導体を露出させて接続端子とし、
前記接続端子の幅を長手方向の途中から先端に向けて小さく形成し、前記回路基板上に設けた端子パターンと前記接続端子とをはんだ付けにて電気的に接続したことを特徴とするサーマルヘッド。
【請求項２】
絶縁基板上に発熱体を設け、回路基板上に前記絶縁基板と前記発熱体を駆動する駆動素子を搭載し、前記回路基板上に接続ケーブルを電気的に接続したサーマルヘッドにおいて、
前記接続ケーブルの先端部の導体を露出させて接続端子とし、
前記接続端子の先端部の幅を小さく形成し、その小さく形成した部分の長さを前記接続端子長さの５０％から８０％以下に設定し、且つ、前記接続端子の長さを１ｍｍ以上３ｍｍ未満に設定し、
前記回路基板上に設けた端子パターンと前記接続端子とをはんだ付けにて電気的に接続したことを特徴とするサーマルヘッド。
【請求項３】
前記回路基板に設けた端子パターンの長さを２ｍｍ以上４ｍｍ未満に設定したことを特徴とする請求項２のサーマルヘッド。
【発明の詳細な説明】
【０００１】
【発明の属する技術分野】
本発明はサーマルヘッドに関する。
【０００２】
【従来の技術】
従来のサーマルヘッドの一例を図６の断面図、図７の平面図及び図８（Ａ）の要部斜視図、図８（Ｂ）の要部拡大図に示している。
図６、図７及び図８に示すように、支持板１上に粘着材２によって発熱体３が設けられた絶縁基板４と回路基板５が固定されている。前記回路基板５上に前記発熱体３を駆動する駆動素子６が搭載されている。そして、前記発熱体３にそれぞれ接続された個別電極１１と前記回路基板５の配線パターン（図示せず）がワイヤ７で駆動素子６に接続されている。
また、前記駆動素子６上には該駆動素子６を保護するための樹脂１０が塗布されている。
【０００３】
さらに、前記回路基板５には外部の制御装置と電気的に接続するために、前記回路基板５上の端子パターン５ａと外部接続用の接続ケーブル８の接続端子８ａがはんだ９ではんだ付けされている。前記接続ケーブル８として例えばＦＦＣが用いられる。
【０００４】
図８（Ａ）及び図８（Ｂ）に示すように、接続ケーブル８の導体の一部を露出させた部分を接続端子８ａとし、該接続端子８ａが前記回路基板５上の端子パターン５ａにはんだ９ではんだ付けされて電気的に接続されている。
ところで、図８（Ｂ）に示すように、前記回路基板５上の端子パターン５ａの幅と接続ケーブル８の接続端子８ａの幅は略同じ幅であり、前記接続端子８ａの上面にはんだ９が殆ど回らず、前記端子パターン５ａと前記接続端子８ａとの境界面で接続強度を確保する必要があることと、前記端子パターン５ａと前記接続端子８ａのはんだ付け確認のため、前記端子パターン５ａの長さを前記接続端子８ａよりも長くする必要があり、４ｍｍ以上として慣用されている。
【０００５】
【発明が解決しようとする課題】
前記接続ケーブル８を回路基板５に取り付ける際、回路基板５上の端子パターン５ａと接続ケーブル８の接続端子８ａの幅が略同じ幅であり、両者をはんだ付けで電気的に接続する場合、はんだが端子間１７に回り込むことから、端子間ではんだのはみ出しによる短絡が問題になっている。この解決手段として接続ケーブルの接続端子幅を小さくすることも考えられるが、端子幅を小さくすると導体抵抗値が上がって印字が薄くなる等の不具合が生じやすい。
【０００６】
また、回路基板５の小型化のために回路基板５上の端子パターン５ａの長さを４ｍｍ未満に短くすると、端子パターン５ａと接続端子８ａの境界面での強度を確保する構造となっていることから、接合部の面積は小さくなることにより接続強度が低下し、接続ケーブル用コネクタ脱着の際に端子パターン５ａが剥れ、断線等の不具合が生じやすい。
【０００７】
そこで、図８（Ａ）に示すように、前記接続端子８ａの長さよりも端子パターン５ａを長くしてはんだ付けを行うことで、端子パターン５ａと接続端子８ａの先端部で接続強度を上げることも考えられるが、端子パターン５ａが長くなることから、サーマルヘッドの小型化に繋がらない。
【０００８】
本発明は、前記問題点に鑑み、接続強度を確保しつつ回路基板５上の端子パターン５ａを短くし、小型化した回路基板を備えたサーマルヘッドを提案するものである。
【０００９】
【課題を解決するための手段】
絶縁基板上に発熱体を設け、回路基板上に前記絶縁基板と前記発熱体を駆動する駆動素子を搭載し、前記回路基板上に接続ケーブルを電気的に接続したサーマルヘッドにおいて、前記接続ケーブルの先端部の導体を露出させて接続端子とし、前記接続端子の導体幅を長手方向の途中から先端に向けて小さく形成し、前記回路基板上に設けた端子パターンと前記接続端子とをはんだ付けにて電気的に接続する。
【００１０】
【発明の実施の形態】
以下、本発明の実施の形態を図１の断面図、図２の平面図及び図３（Ａ）の要部斜視図、図３（Ｂ）の要部拡大図を参照しながら説明する。
発熱体３が形成された絶縁基板１３を搭載した回路基板１２が粘着材２によって支持板１上に固定されている。前記回路基板１２上には前記発熱体３を駆動する駆動素子６が搭載されている。そして、前記発熱体３にそれぞれ接続された個別電極１４と前記回路基板１２の配線パターン（図示せず）がワイヤ７で駆動素子６に接続されている。また、前記駆動素子６は樹脂１０が塗布されて保護されている。
【００１１】
さらに、前記回路基板１２には外部の制御装置と接続するために、回路基板１２上の端子パターン１２ａと接続ケーブル１５の接続端子１５ａがはんだ１６にてはんだ付けされている。
【００１２】
本発明は、前記接続端子１５ａの幅を長手方向の途中から先端に向けて小さく形成し、前記回路基板１２上に設けた端子パターン１２ａと前記接続端子１５ａとをはんだ付けにて電気的に接続する。
【００１３】
以下、本発明の実施の形態を具体的に説明する。
前記端子パターン１２ａの長さを２ｍｍ以上４ｍｍ未満に形成し、はんだを塗布する。そして、端子長さが１〜３ｍｍ、端子幅を先端部の両側を切断することで小さくし、長さを端子長さの５０〜８０％とした接続端子部分１５ｂをはんだ１６ではんだ付けして電気的に接続する。
【００１４】
例えば、前記接続端子１５ａの長さが１ｍｍの場合は先端部の端子幅を小さくした接続端子部分１５ｂの長さを０．５ｍｍ〜０．８ｍｍに、接続端子１５ａの長さが３ｍｍの場合は先端部の端子幅を小さくした接続端子部分１５ｂの長さを１．５〜２．４ｍｍに設定する。
【００１５】
前記接続端子部分１５ｂを前記端子パターン１２ａとはんだ付けする際、前記端子パターン１２ａの上にあるはんだは加圧且つ加熱されることで、図３（Ｂ）に示すように、先の細くなった接続端子部分１５ｂの両側に溜まると共に表面張力により上面にも回り込むようにはんだ膜が形成される。
【００１６】
これにより、前記回路基板１２上の端子パターン１２ａと接続ケーブル１５の接続端子部分１５ｂの境界面及び上面を含め、はんだ１６にて接続されて前記端子パターン１２ａの長さが２ｍｍ以上４ｍｍ未満と短くなっても接続強度が確保される。
【００１７】
他の実施の形態として、前記接続ケーブル１５の接続端子１５ａの先端部の形状を図４（Ａ）に示すように、接続端子１５ａの長手方向の途中から先端に向けて片側を切断して幅を小さくして接続端子部分１５ｃとしても同様の効果を奏する。さらに、図５（Ａ）に示すように、Ｖ字形状１５ｄに折り曲げて細くしても同様な効果を奏する。
【００１８】
【発明の効果】
本発明は、接続ケーブルの接続端子の幅を長手方向の途中から先端に向けて小さく形成し、回路基板上に設けた端子パターンと前記接続端子とをはんだ付けにて電気的に接続したことで、回路基板の端子パターンの長さを短く形成しても、接続ケーブルの接続端子との接続強度が確保され、回路基板の短手幅を大幅に短縮できる。その結果、サーマルヘッド全体としても短手幅を縮小でき、プリンタ組み込みの際自由度が増すこととなる。
【図面の簡単な説明】
【図１】本発明によるサーマルヘッドの断面図である。
【図２】本発明によるサーマルヘッドの平面図である。
【図３】本発明によるサーマルヘッドの外部接続ケーブルとの接続部の斜視図および要部拡大図である。
【図４】本発明によるサーマルヘッドの外部接続ケーブルとの接続部の他の実施の形態の斜視図および要部拡大図である。
【図５】本発明によるサーマルヘッドの外部接続ケーブルとの接続部の他の実施の形態の斜視図および要部拡大図である。
【図６】従来のサーマルヘッドの断面図である。
【図７】従来のサーマルヘッドの平面図である。
【図８】従来のサーマルヘッドの外部接続ケーブルとの接続部の斜視図および要部拡大図である。
【符号の説明】
３・・発熱体　１２・・回路基板　１３・・絶縁基板　１５・・接続ケーブル
【図１】
2004090225.tif 000003
【図２】
2004090225.tif 000004
【図３】
2004090225.tif 000005
【図４】
2004090225.tif 000006
【図５】
2004090225.tif 000007
【図６】
2004090225.tif 000008
【図７】
2004090225.tif 000009
【図８】
2004090225.tif 000010